(57)【要約】【課題】複数の遊技機から排出される遊技媒体を、遊技媒体回収装置を介して集積部に集積させる遊技機島において、遊技機の下方に、遊技者の足が入り込む足入れ空間を形成するにあたり、十分な奥行き寸法が確保された足入れ空間を形成できるようにする。【解決手段】複数の遊技機２が左右方向に並設されるとともに、複数の前記遊技機２から排出される遊技媒体を、遊技媒体回収装置３を介して集積部４に集積させる遊技機島１であって、前記遊技機２の下方に、遊技者の足が入り込む足入れ空間１０を形成するにあたり、前記遊技媒体回収装置３を、前記足入れ空間１０の上方又は下方に配置する。【選択図】図３
2007181523.tif 000002
【特許請求の範囲】
【請求項１】
複数の遊技機が左右方向に並設されるとともに、複数の前記遊技機から排出される遊技媒体を、遊技媒体回収装置を介して集積部に集積させる遊技機島であって、
前記遊技機の下方に、遊技者の足が入り込む足入れ空間を形成するにあたり、前記遊技媒体回収装置を、前記足入れ空間の上方又は下方に配置したことを特徴とする遊技機島。
【請求項２】
前記遊技機島の下部は、モジュール化された下部フレームによって形成される請求項１記載の遊技機島。
【請求項３】
前記下部フレームは、左右方向に連続する第一フレーム要素と、当該第一フレーム要素から前後方向に延出する第二フレーム要素とを一体的に備える請求項２記載の遊技機島。
【請求項４】
前記第一フレーム要素及び／又は前記第二フレーム要素は、近隣遊技者同士の足の干渉を防ぐ仕切り部材に兼用される請求項３記載の遊技機島。
【請求項５】
前記遊技媒体回収装置は、複数の前記遊技機から排出された遊技媒体を前記集積部に向けて水平搬送する水平搬送機構を備える請求項１〜４のいずれかに記載の遊技機島。
【請求項６】
前記遊技媒体回収装置は、前記遊技機単位で構成され、前記遊技機から排出される遊技媒体を前記集積部に向けて傾斜誘導する個別樋と、当該個別樋の終端部に到達した遊技媒体を下流個別樋の始端部まで搬送する台間搬送機構とを備える請求項１〜４のいずれかに記載の遊技機島。
【請求項７】
前記遊技媒体回収装置は、遊技媒体を前記集積部に向けて傾斜誘導する共通樋と、前記遊技機から排出される遊技媒体を前記共通樋上に揚送する揚送機とを備える請求項１〜４のいずれかに記載の遊技機島。
【発明の詳細な説明】
【技術分野】
【０００１】
本発明は、ホールに構成される遊技機島に関し、特に、遊技機の下方に、遊技者の足が入り込む足入れ空間を備えた遊技機島に関する。
【背景技術】
【０００２】
パチンコ機、スロットマシンなどの遊技機は、通常、遊技媒体回収装置を備えた遊技機島に設置される。遊技媒体回収装置は、複数の遊技機から排出される遊技媒体を集積部に集積させるものであり、集積された遊技媒体は、例えば、揚送機や研磨機を介して再び遊技機に供給される。
一般的な遊技媒体回収装置は、樋方式のものであり、樋の勾配（約５％）を利用して遊技球の搬送が行われる（例えば、特許文献１参照）。
また、遊技媒体を水平方向に搬送するベルトコンベア方式の遊技媒体回収装置も提案されている（例えば、特許文献２参照）。このような方式によれば、樋による搬送が困難なメダルの回収、集積が可能になる。
【０００３】
ところで、遊技者は、遊技機の前方に設けられる椅子に座って遊技を行うが、通常、遊技機の設置間隔や、遊技機と椅子の間隔は、遊技機の設置効率上、必要最小限に抑えられているので、遊技者が窮屈な姿勢を強いられる可能性がある。
そこで、遊技機の下方に、遊技者の足が入り込む足入れ空間を形成することが提案されている（例えば、特許文献３〜７参照）。このようにすると、遊技者は、足を伸ばした楽な姿勢で遊技を行うことができるので、遊技による疲労を軽減できる。
【０００４】
【特許文献１】特開２０００−２４２８７号公報
【特許文献２】特開２００３−２８４８５９号公報
【特許文献３】実開平６−３９０６４号公報
【特許文献４】特開平８−８９６５１号公報
【特許文献５】特開平８−２４３２５１号公報
【特許文献６】特開平１０−１７９９０６号公報
【特許文献７】特開２００１−７２１号公報
【発明の開示】
【発明が解決しようとする課題】
【０００５】
しかしながら、遊技機島の内部においては、通常、遊技機よりも低い位置に遊技媒体回収装置が配置されているので、遊技機の下方に足入れ空間を形成する場合、その奥行き寸法が遊技媒体回収装置によって制限され、形成できる空間には一定の限界があった。
また、遊技機の下方に単に足入れ空間を形成した場合、遊技機を支えるための剛性が低下してしまい、遊技機島が傾く等のおそれもあった。このような剛性低下は、特にパチンコ機における前後方向については、入賞口に対する遊技球の入賞率に影響を与えることになるため、遊技機島の前後方向の傾きに対する剛性低下はきわめて重要な問題であった。
【０００６】
本発明は、上記の事情にかんがみなされたものであり、遊技機の下方に、遊技者の足が入り込む足入れ空間を形成するにあたり、十分な奥行き寸法が確保された足入れ空間を形成できる遊技機島の提供を目的とする。
【課題を解決するための手段】
【０００７】
上記目的を達成するため本発明の遊技機島は、請求項１に記載するように、複数の遊技機が左右方向に並設されるとともに、複数の前記遊技機から排出される遊技媒体を、遊技媒体回収装置を介して集積部に集積させる遊技機島であって、前記遊技機の下方に、遊技者の足が入り込む足入れ空間を形成するにあたり、前記遊技媒体回収装置を、前記足入れ空間の上方又は下方に配置した構成としてある。
【０００８】
このようにすると、遊技媒体回収装置を備える遊技機島であっても、遊技機の下方に、十分な奥行き寸法が確保された足入れ空間を形成することができる。
これにより、遊技者は、より楽な姿勢で遊技を行うことが可能になるので、遊技による疲労を更に軽減できる。
また、遊技機と椅子の間隔を縮めることができるので、遊技機島間の通路を広くしたり、遊技機島の間隔を縮めて遊技機の設置効率を高めることができる。
【０００９】
また、請求項２に記載するように、前記遊技機島の下部は、モジュール化された下部フレームによって形成される構成としてある。
このようにすると、遊技機島の下部構造を簡略化できるだけでなく、本発明の遊技機島を短期間で施工することが可能になる。
【００１０】
また、請求項３に記載するように、前記下部フレームは、左右方向に連続する第一フレーム要素と、当該第一フレーム要素から前後方向に延出する第二フレーム要素とを一体的に備える構成としてある。
このようにすると、遊技機島に必要な剛性を確保しつつ、十分な奥行き寸法が確保された足入れ空間を形成することができる。
【００１１】
また、請求項４に記載するように、前記第一フレーム要素及び／又は前記第二フレーム要素は、近隣遊技者同士の足の干渉を防ぐ仕切り部材に兼用される構成としてある。
このようにすると、近隣遊技者同士の足の干渉を防ぐことができるだけでなく、部材の兼用により構造の簡略化やコストダウンが図れる。
【００１２】
また、請求項５に記載するように、前記遊技媒体回収装置は、複数の前記遊技機から排出された遊技媒体を前記集積部に向けて水平搬送する水平搬送機構を備える構成としてある。
このようにすると、遊技媒体回収装置を足入れ空間の上方又は下方に配置しても、遊技機から排出された遊技媒体を確実に集積部に集積することができる。
【００１３】
また、請求項６に記載するように、前記遊技媒体回収装置は、前記遊技機単位で構成され、前記遊技機から排出される遊技媒体を前記集積部に向けて傾斜誘導する個別樋と、当該個別樋の終端部に到達した遊技媒体を下流個別樋の始端部まで搬送する台間搬送機構とを備える構成としてある。
このようにすると、遊技媒体回収装置を足入れ空間の上方に配置しても、遊技機から排出された遊技媒体を確実に集積部に集積することができる。
しかも、個別樋と台間搬送機構は、遊技機単位でモジュール化が可能なので、遊技機の設置台数が相違する遊技機島に柔軟に対応できる。
【００１４】
また、請求項７に記載するように、前記遊技媒体回収装置は、遊技媒体を前記集積部に向けて傾斜誘導する共通樋と、前記遊技機から排出される遊技媒体を前記共通樋上に揚送する揚送機とを備える構成としてある。
このようにすると、遊技媒体回収装置を足入れ空間の上方に配置しても、遊技機から排出された遊技媒体を確実に集積部に集積することができる。
【発明の効果】
【００１５】
以上のように、本発明の遊技機島によれば、遊技媒体回収装置を備える遊技機島であっても、遊技機の下方に、十分な奥行き寸法が確保された足入れ空間を形成することができる。
これにより、遊技者は、より楽な姿勢で遊技を行うことが可能になるので、遊技による疲労を更に軽減できる。
また、遊技機と椅子の間隔を縮めることができるので、遊技機島間の通路を広くしたり、遊技機島の間隔を縮めて遊技機の設置効率を高めることができる。
【発明を実施するための最良の形態】
【００１６】
以下、本発明の遊技城島の好ましい実施形態について、図面を参照して説明する。
［第一実施形態］
まず、本発明の遊技機島の第一実施形態について、図１〜図１１を参照して説明する。
図１は、本発明の第一実施形態に係る遊技機島の斜視図、図２は、本発明の第一実施形態に係る遊技機島を正面から見た断面図、図３は、本発明の第一実施形態に係る遊技機島（自動吸殻処理機なし）を側面から見た断面図、図４は、本発明の第一実施形態に係る遊技機島（自動吸殻処理機あり）を側面から見た断面図、図５は、本発明の第一実施形態に係る遊技機島の下部フレーム（１）を示す斜視図、図６は、本発明の第一実施形態に係る遊技機島の下部フレーム（２）を示す斜視図、図７は、本発明の第一実施形態に係る遊技機島の下部フレーム（３）を示す斜視図、図８は、本発明の第一実施形態に係る遊技機島の下部フレーム（４）を示す斜視図、図９は、本発明の第一実施形態に係る遊技機島の遊技媒体回収装置を示す部分正面図、図１０は、本発明の第一実施形態に係る遊技機島の遊技媒体回収装置を示す断面図、図１１は、本発明の第一実施形態に係る遊技機島の貯留タンクを示す断面図である。
【００１７】
図１〜図４に示すように、本発明の第一実施形態に係る遊技機島１は、複数の遊技機２と、複数の遊技機２から排出される遊技媒体を回収する遊技媒体回収装置３と、遊技媒体回収装置３が回収した遊技媒体を集積する集積部４と、集積部４内の遊技媒体の揚送、研磨、貯蔵、分配などを行う遊技媒体処理装置５と、揚送された遊技媒体を複数の遊技機２に供給する供給樋６と、遊技媒体処理装置５や供給樋６でオーバーフローした遊技媒体を貯留する貯留タンク７と、遊技者が獲得した遊技媒体を計数する計数機８とを備えて構成されている。
各遊技機島１の長手方向の両端には、妻板１０１が備えられている。
【００１８】
第一実施形態の遊技機２は、遊技球を使用して遊技されるパチンコ機であり、左右方向に並び、かつ、背中合わせとなるように、遊技機島１の前後両面に設置されている。遊技者は、各遊技機２の前方に設置される椅子９に座って遊技を行う。このとき、遊技者の足は、遊技機２の下方に形成される足入れ空間１０に入り込ませることができる。これにより、遊技者は、足を伸ばした楽な姿勢で遊技を行うことが可能になり、遊技による疲労が軽減される。
【００１９】
本発明は、遊技機２の下方に、上記の足入れ空間１０を形成するにあたり、遊技媒体回収装置３を足入れ空間１０の上方に配置する。これにより、遊技媒体回収装置３の影響を受けることなく、十分な奥行き寸法Ｌが確保された足入れ空間１０を形成することが可能になる。このようにすると、遊技者は、より楽な姿勢で遊技を行うことが可能になるので、遊技による疲労を更に軽減できる。また、遊技機２と椅子９の間隔を縮めることができるので、遊技機島１間の通路を広くしたり、遊技機島１の間隔を縮めて遊技機２の設置効率を高めることができる。
【００２０】
遊技機島１の下部は、モジュール化された下部フレーム１１によって形成されている。このようにすると、遊技機島１の下部構造を簡略化できるだけでなく、本発明の遊技機島１を短期間で施工することが可能になる。
図５〜図８に示すように、下部フレーム１１は、左右方向に連続する第一フレーム要素１２と、第一フレーム要素１２から前後方向に延出する第二フレーム要素１３とを一体的に備える。このようにすると、遊技機島１に必要な剛性を確保しつつ、十分な奥行き寸法Ｌが確保された足入れ空間１０を形成できる。
また、第一フレーム要素１２及び第二フレーム要素１３は、近隣遊技者同士の足の干渉を防ぐ仕切り部材に兼用されているので、近隣遊技者同士の足の干渉を防ぐことができるだけでなく、部材の兼用により構造の簡略化やコストダウンが図れる。
【００２１】
下部フレーム１１は、図５及び図６に示すような板構造であってもよいし、図７及び図８に示すように一部を柱構造としてもよい。
例えば、図５に示す下部フレーム１１は、左右方向に沿う平板状の第一フレーム要素１２と、前後方向に沿う平板状の第二フレーム要素１３とを一体的に備えて構成される。
また、図６に示す下部フレーム１１は、湾曲板状の第一フレーム要素１２と、前後方向に沿う平板状の第二フレーム要素１３とを一体的に備えて構成される。
また、図７に示す下部フレーム１１は、左右方向に沿う平板状の第一フレーム要素１２と、前後方向に沿う平板状の第二フレーム要素１３と、第二フレーム要素１３の前後両端部に立設される柱１４とを一体的に備えて構成される。
また、図８に示す下部フレーム１１は、湾曲板状の第一フレーム要素１２と、前後方向に沿う平板状の第二フレーム要素１３と、第二フレーム要素１３の前後両端部に立設される柱１４とを一体的に備えて構成される。
【００２２】
図９及び図１０に示すように、本実施形態の遊技媒体回収装置３は、複数の遊技機２から排出された遊技媒体を集積部４に向けて水平搬送するベルトコンベア方式の水平搬送機構であり、集積部４側に設けられる駆動ローラ１５と、島端側に設けられるテンショナー１６と、水平搬送経路に沿って設けられる多数のガイドローラ１７と、これらに掛け回される搬送ベルト１８とを備えて構成され、駆動ローラ１５の回転に応じて搬送動作を行う。
【００２３】
遊技機２から排出される遊技媒体は、アウトタンク１９で計数されるとともに、方向転換されて搬送ベルト１８上に落下し、集積部４まで水平搬送される。遊技媒体回収装置３の搬送能力は、パチンコ機が１６台（８台×両面）設置された一般的な遊技機島１の場合、１６００球／分（分間発射個数１００×１６台）を多少越える程度の搬送能力があればよい。
搬送ベルト１８の表面は、（例えばタイミングベルトのような）凹凸を有することが好ましい（図１０参照）。このようにすると、搬送ベルト１８上における遊技媒体の転動を抑え、搬送効率を高めることができる。
【００２４】
足入れ空間１０の上方で遊技媒体を水平搬送する本実施形態の遊技媒体回収装置３は、アウトタンク１９の遊技媒体排出高さよりも低く、かつ、テーブル２０の上面よりも高い空間に主要部分を配置しなければならないという制約がある。
本実施形態では、ガイドローラ１７のうち、搬送ベルト１８の下側を支えるガイドローラ１７ａの位置を上方にオフセットしている。これにより、遊技媒体回収装置３における主要部分の高さ寸法を抑え、搬送ベルト１８の搬送高さを低くすることができる。
ここで、テーブル２０の高さを一般のテーブルのように約７０cm度の高さにすると、更に快適さが得られるようになる。
また、図４に示すように、テーブル２０に自動吸殻処理機（吸殻を島端まで自動的に搬送する装置）２１を備える遊技機島１においては、テーブル２０の下面が約５０ｍｍ低くなるので、遊技媒体回収装置３の設置余裕が大きくなるという利点がある。
【００２５】
従来では、バッファ機能として遊技機島の下部に貯留タンクを設置していたが、本発明のように、遊技機島１の下部に足入れ空間１０を形成する場合、遊技機島１の下部に貯留タンクを設置することが困難になる。
そこで、本実施形態では、図２に示すように、背の高い貯留タンク７を遊技媒体処理装置５に並べて設置する。このようにすると、下部に足入れ空間１０が形成された遊技機島１であっても、所定量の遊技媒体を貯留し、バッファ機能を具備できる。
【００２６】
図１１に示すように、貯留タンク７は、背が高いので、大容量でありながら、平面積が小さく抑えられている。貯留タンク７の上側には、オーバーフローした遊技媒体を受け入れる受け入れ口２２が形成され、貯留タンク７の下側には、貯留した遊技媒体を集積部４に排出する排出口２３が形成されている。また、貯留タンク７内には、受け入れ口２２から流入した遊技媒体を順次落下ガイドする複数の勾配ガイド２４が設けられている。勾配ガイド２４は、貯留タンク７内に左右交互に突出すように上下方向に並設され、いわゆる多重勾配構造のタンクを構成している。このようにすると、貯留タンク７に作用する遊技媒体の荷重が分散されるだけでなく、貯留タンク７内における遊技媒体の流れを円滑にすることができる。
【００２７】
以上のように構成された本実施形態によれば、複数の遊技機２が左右方向に並設されるとともに、複数の遊技機２から排出される遊技媒体を、遊技媒体回収装置３を介して集積部４に集積させる遊技機島１であって、遊技機２の下方に、遊技者の足が入り込む足入れ空間１０を形成するにあたり、遊技媒体回収装置３を、足入れ空間の上方に配置したので、遊技媒体回収装置３を備える遊技機島１であっても、遊技機２の下方に、十分な奥行き寸法が確保された足入れ空間１０を形成することができる。
これにより、遊技者は、より楽な姿勢で遊技を行うことが可能になるので、遊技による疲労を更に軽減できる。
また、遊技機２と椅子９の間隔を縮めることができるので、遊技機島１間の通路を広くしたり、遊技機島１の間隔を縮めて遊技機２の設置効率を高めることができる。
【００２８】
また、遊技機島１の下部は、モジュール化された下部フレーム１１によって形成されるので、遊技機島１の下部構造を簡略化できるだけでなく、本発明の遊技機島１を短期間で施工することが可能になる。
また、下部フレーム１１は、左右方向に連続する第一フレーム要素１２と、第一フレーム要素１２から前後方向に延出する第二フレーム要素１３とを一体的に備えるので、遊技機島１に必要な剛性を確保しつつ、十分な奥行き寸法が確保された足入れ空間１０を形成することができる。
また、第一フレーム要素１２や第二フレーム要素１３は、近隣遊技者同士の足の干渉を防ぐ仕切り部材に兼用されるので、近隣遊技者同士の足の干渉を防ぐことができるだけでなく、部材の兼用により構造の簡略化やコストダウンが図れる。
【００２９】
［第二実施形態］
つぎに、本発明の第二実施形態に係る遊技機島について、図１２及び図１３を参照して説明する。なお、本実施形態において、上述した第一実施形態と共通の構成については、第一実施形態と同一符号を付し、対応する説明を援用する。
図１２は、本発明の第二実施形態に係る遊技機島の斜視図、図１３は、本発明の第二実施形態に係る遊技機島の下部フレームを示す斜視図である。
【００３０】
これらの図に示すように、本発明の第二実施形態に係る遊技機島は、下部フレーム１１の構成が第一実施形態と相違しており、具体的には、遊技機２単位で足入れ空間１０を仕切る第二フレーム要素１３が省かれている。
この場合、第二フレーム要素１３は、島端の妻板１０１と、島中央部の集積部４になり、これらの妻板１０１と集積部４とで構成される第二フレーム要素１３で遊技機島１の前後方向の剛性を確保するようになっている。
このような構成により、第一実施形態に比べ、すっきりとしたデザインが実現するだけでなく、足入れ空間１０内の清掃が容易になるという利点がある。
【００３１】
［第三実施形態］
つぎに、本発明の第三実施形態に係る遊技機島について、図１４〜図１６を参照して説明する。なお、本実施形態においても、上述した第一実施形態と共通の構成については、第一実施形態と同一符号を付し、対応する説明を援用する。
図１４は、本発明の第三実施形態に係る遊技機島を正面から見た断面図、図１５は、本発明の第三実施形態に係る遊技機島を側面から見た断面図、図１６は、本発明の第三実施形態に係る遊技機島の下部フレームを示す斜視図である。
【００３２】
これらの図に示すように、第三実施形態に係る遊技機島１は、遊技媒体回収装置３を足入れ空間１０の下方に配置した点が前記実施形態と相違している。
具体的には、下部フレーム１１における第一フレーム要素１２の下方に左右方向に沿う空間を確保し、ここに遊技媒体回収装置３を配置する。
また、下部フレーム１１における第一フレーム要素１２と第二フレーム要素１３の交点部分には、遊技媒体が落下可能な落下パイプ２５を埋設し、アウトタンク１９から排出される遊技媒体を、落下パイプ２５を介して遊技媒体回収装置３の搬送ベルト１８上に落下させる。
搬送ベルト１８上に落下した遊技媒体は、集積部４の側部まで水平搬送され、ここに設けられる揚送機２６によって集積部４の上方まで揚送される。
【００３３】
このように構成しても、前記実施形態と同様に、遊技機２の下方に、十分な奥行き寸法が確保された足入れ空間１０を形成できる。
また、下部フレーム１１にフットレスト２７を形成し、フットレスト２７内に遊技媒体回収装置３の配置空間を形成すれば、下部フレーム１１にフットレスト２７を追加できる。
また、フットレスト２７を開閉自在にすれば、遊技媒体回収装置３の配置空間を開放し、遊技媒体回収装置３のメンテナンスが可能になる。
【００３４】
［第四実施形態］
つぎに、本発明の第四実施形態に係る遊技機島について、図１７〜図１９を参照して説明する。なお、本実施形態においても、上述した第一実施形態と共通の構成については、第一実施形態と同一符号を付し、対応する説明を援用する。
図１７は、本発明の第四実施形態に係る遊技機島を正面から見た断面図、図１８は、本発明の第四実施形態に係る遊技機島の遊技媒体回収装置を示す正面図、図１９は、本発明の第四実施形態に係る遊技機島の遊技媒体回収装置を示す部分拡大図である。
【００３５】
これらの図に示すように、第四実施形態に係る遊技機島１は、遊技媒体回収装置の構成が前記実施形態と相違している。具体的に説明すると、第四実施形態の遊技媒体回収装置２８は、遊技機単位で構成され、遊技機２から排出される遊技媒体を集積部４に向けて傾斜誘導する個別樋２９と、当該個別樋２９の終端部に到達した遊技媒体を下流個別樋２９の始端部まで搬送する台間搬送機構３０とを備えて構成される。
このようにすると、遊技媒体回収装置２８を足入れ空間１０の上方に配置しても、遊技機２から排出された遊技媒体を確実に集積部４に集積できる。
しかも、個別樋２９と台間搬送機構３０は、遊技機単位でモジュール化が可能なので、遊技機２の設置台数が相違する遊技機島１に柔軟に対応できる。
【００３６】
台間搬送機構３０としては、任意の搬送方式を適用できる。例えば、本実施形態の台間搬送機構３０は、外周部に弾性を有するウレタンゴムローラなどの搬送ローラ３１と、搬送ローラ３１の外周面と所定間隔を介して対向する円弧状の搬送ガイド３２とを備え、搬送ローラ３１の回転駆動に応じて、搬送ローラ３１の外周で遊技球を搬送ガイド３２に押し付けつつ、搬送ガイド３２上で遊技球を転動させることにより、下流の個別樋２９まで遊技球を搬送するように構成されている。この場合、搬送ローラ３１は、常時駆動させてもよいが、台間搬送機構３０の上流に溜った遊技媒体をセンサで検出し、この検出に応じて搬送ローラ３１を駆動させるようにしてもよい。
【００３７】
なお、遊技機単位で構成される遊技媒体回収装置としては、本実施形態で示したものに限らず、その他の構成を採用することも可能である。
遊技機単位の遊技媒体回収装置としては、本出願人による特願２００５−０９４０８４で提案されている遊技級搬送システムにおけるスパイラル棒式や振動式，リニアモータ式等の構成があり、本実施形態の回収装置に代えて、あるいは本実施形態の回収装置と併用して、これら他の回収装置構成を採用することができる。
【００３８】
［第五実施形態］
つぎに、本発明の第五実施形態に係る遊技機島について、図２０〜図２２を参照して説明する。なお、本実施形態においても、上述した第一実施形態と共通の構成については、第一実施形態と同一符号を付し、対応する説明を援用する。
図２０は、本発明の第五実施形態に係る遊技機島を正面から見た断面図、図２１は、本発明の第五実施形態に係る遊技機島を側面から見た断面図、図２２は、本発明の第五実施形態に係る遊技機島の遊技媒体回収装置を示す正面図である。
【００３９】
これらの図に示すように、第五実施形態に係る遊技機島１は、遊技媒体回収装置の構成が前記実施形態と相違している。具体的に説明すると、第五実施形態の遊技媒体回収装置３３は、遊技媒体を集積部４に向けて傾斜誘導する共通樋３４と、遊技機２から排出される遊技媒体を共通樋３４上に揚送する揚送機３５とを備えて構成されている。
このようにすると、遊技媒体回収装置３３を足入れ空間１０の上方に配置しても、遊技機２から排出された遊技媒体を確実に集積部４に集積できる。
【００４０】
しかも、本実施形態では、遊技機２単位で揚送機３５を設置しているので、仮に揚送機３５が故障しても、他の遊技機２については、故障の影響を受けることなく、遊技媒体の回収を継続することができる。
なお、揚送機３５としては、任意の搬送方式を適用できる。例えば、特開平８−５７１２８号公報に記載される送球装置を用い、計数機能付きの揚送機３５を構成することができる。
【００４１】
［第六実施形態］
つぎに、本発明の第六実施形態に係る遊技機島について、図２３及び図２４を参照して説明する。なお、本実施形態においても、上述した第一実施形態と共通の構成については、第一実施形態と同一符号を付し、対応する説明を援用する。
図２３は、本発明の第六実施形態に係る遊技機島を側面から見た断面図、図２４は、本発明の第六実施形態に係る遊技機島の遊技機を示す背面図である。
【００４２】
これらの図に示すように、第六実施形態に係る遊技機島３６は、遊技機３７としてスロットマシンが設置される点が前記実施形態と相違している。
このような遊技機島３６でも、遊技機２の下方に、遊技者の足が入り込む足入れ空間１０を形成するにあたり、遊技媒体回収装置３８を、足入れ空間１０の上方又は下方に配置することにより、前記実施形態と同様の効果が得られる。
【００４３】
第六実施形態の遊技媒体回収装置３８としては、第一実施形態の遊技媒体回収装置３と同様に、ベルトコンベア方式の水平搬送機構を用いることができる。遊技機３７は、メダルを貯留するホッパ３９を備え、ホッパ３９のオーバーフロー口４０には、遊技機３７の裏面に形成される開口４１を介して、遊技媒体回収装置３８の搬送ベルト４２上まで至るシュート４３が設けられる。
これにより、各遊技機３７から排出されたオーバーフローメダルを集積部に集積させることができる。
【００４４】
以上、本発明の遊技機島について、好ましい実施形態を示して説明したが、本発明に係る遊技機島は、上述した実施形態にのみ限定されるものではなく、本発明の範囲で種々の変更実施が可能であることは言うまでもない。
【産業上の利用可能性】
【００４５】
本発明は、パチンコ機、スロットマシンなどの遊技機が設置させた遊技機島に適用でき、特に、遊技機の下方に、遊技者の足が入り込む足入れ空間を備えた遊技機島に好適である。
【図面の簡単な説明】
【００４６】
【図１】本発明の第一実施形態に係る遊技機島の斜視図である。
【図２】本発明の第一実施形態に係る遊技機島を正面から見た断面図である。
【図３】本発明の第一実施形態に係る遊技機島（自動吸殻処理機なし）を側面から見た断面図である。
【図４】本発明の第一実施形態に係る遊技機島（自動吸殻処理機あり）を側面から見た断面図である。
【図５】本発明の第一実施形態に係る遊技機島の下部フレーム（１）を示す斜視図である。
【図６】本発明の第一実施形態に係る遊技機島の下部フレーム（２）を示す斜視図である。
【図７】本発明の第一実施形態に係る遊技機島の下部フレーム（３）を示す斜視図である。
【図８】本発明の第一実施形態に係る遊技機島の下部フレーム（４）を示す斜視図である。
【図９】本発明の第一実施形態に係る遊技機島の遊技媒体回収装置を示す部分正面図である。
【図１０】本発明の第一実施形態に係る遊技機島の遊技媒体回収装置を示す断面図である。
【図１１】本発明の第一実施形態に係る遊技機島の貯留タンクを示す断面図である。
【図１２】本発明の第二実施形態に係る遊技機島の斜視図である。
【図１３】本発明の第二実施形態に係る遊技機島の下部フレームを示す斜視図である。
【図１４】本発明の第三実施形態に係る遊技機島を正面から見た断面図である。
【図１５】本発明の第三実施形態に係る遊技機島を側面から見た断面図である。
【図１６】本発明の第三実施形態に係る遊技機島の下部フレームを示す斜視図である。
【図１７】本発明の第四実施形態に係る遊技機島を正面から見た断面図である。
【図１８】本発明の第四実施形態に係る遊技機島の遊技媒体回収装置を示す正面図である。
【図１９】本発明の第四実施形態に係る遊技機島の遊技媒体回収装置を示す部分拡大図である。
【図２０】本発明の第五実施形態に係る遊技機島を正面から見た断面図である。
【図２１】本発明の第五実施形態に係る遊技機島を側面から見た断面図である。
【図２２】本発明の第五実施形態に係る遊技機島の遊技媒体回収装置を示す正面図である。
【図２３】本発明の第六実施形態に係る遊技機島を側面から見た断面図である。
【図２４】本発明の第六実施形態に係る遊技機島の遊技機を示す背面図である。
【符号の説明】
【００４７】
１  遊技機島
２  遊技機
３  遊技媒体回収装置
４  集積部
９  椅子
１０  足入れ空間
１１  下部フレーム
１２  第一フレーム要素
１３  第二フレーム要素
１９  アウトタンク
２６  揚送機
２８  遊技媒体回収装置
２９  個別樋
３０  台間搬送機構
３３  遊技媒体回収装置
３４  共通樋
３５  揚送機
３６  遊技機島
３７  遊技機
３８  遊技媒体回収装置
【図１】
2007181523.tif 000003
【図２】
2007181523.tif 000004
【図３】
2007181523.tif 000005
【図４】
2007181523.tif 000006
【図５】
2007181523.tif 000007
【図６】
2007181523.tif 000008
【図７】
2007181523.tif 000009
【図８】
2007181523.tif 000010
【図９】
2007181523.tif 000011
【図１０】
2007181523.tif 000012
【図１１】
2007181523.tif 000013
【図１２】
2007181523.tif 000014
【図１３】
2007181523.tif 000015
【図１４】
2007181523.tif 000016
【図１５】
2007181523.tif 000017
【図１６】
2007181523.tif 000018
【図１７】
2007181523.tif 000019
【図１８】
2007181523.tif 000020
【図１９】
2007181523.tif 000021
【図２０】
2007181523.tif 000022
【図２１】
2007181523.tif 000023
【図２２】
2007181523.tif 000024
【図２３】
2007181523.tif 000025
【図２４】
2007181523.tif 000026